(57)【要約】【課題】  指定された号機を呼ぶ為の専用のホール呼びボタンを持たず、複数号機が設置されている場合においても、利用者が自分の行きたい階に停止する号機を呼ぶことが可能なエレベータ装置を提供する。【解決手段】  Ａ号機とＢ号機が設置されたエレベータ装置においてＢ号機の５Ｆカゴ呼びは登録不可能、すなわちＢ号機は５階不停止となっている。５階に行きたい乗客が４階でホール呼びボタン（ＵＰ）１−１ａを押してエレベータに乗り込む場合、通常の操作ではＡ号機、Ｂ号機のいずれかが割り当てられ、Ｂ号機が割り当てられた場合は５階に行くことができないが、ホール呼びボタン（ＵＰ）１−１ａを長押しすることにより、これを検出してＡ号機を強制的に応答させる。これにより、乗客はＡ号機に乗り込み、５階に行くことができる。【選択図】  図１
2006168915.tif 000002
【特許請求の範囲】
【請求項１】
複数号機が設置されたエレベータ装置において、ホール呼びボタンの特殊操作により指定された号機を割り付ける指定号機割り付け手段を備えたことを特徴とするエレベータ装置。
【請求項２】
前記指定号機割り付け手段は、一般的な操作では操作されないホール呼びボタンの操作を検出して、指定された号機を割り付けるものであることを特徴とする請求項１に記載のエレベータ装置。
【請求項３】
前記指定号機割り付け手段により指定された号機が割り付けられたとき、指定された号機が割り付けられたことを、ホールインジケータ、またはホール呼びボタン、またはホールインジケータの近傍に設けられた表示灯を用いて表示する表示手段を備えたことを特徴とする請求項１に記載のエレベータ装置。
【請求項４】
前記指定号機割り付け手段により指定された号機が割り付けられたとき、指定された号機が割り付けられたことを、ホールランタンを用いて表示する表示手段を備えたことを特徴とする請求項１に記載のエレベータ装置。
【請求項５】
前記指定号機割り付け手段により指定された号機が割り付けられたとき、指定された号機が割り付けられたことを放送する放送手段を備えたことを特徴とする請求項１に記載のエレベータ装置。
【請求項６】
前記ホール呼びボタンの近傍に設けられ、指定された号機を呼ぶ為のホール呼びボタンの特殊操作の方法を表示した表示手段を備えたことを特徴とする請求項１に記載のエレベータ装置。
【発明の詳細な説明】
【技術分野】
【０００１】
本発明は、２カーもしくは３カーのエレベータ装置、または群管理のエレベータ装置など、複数号機が設置されているエレベータ装置に関し、特に、指定された号機を呼び分けることが可能なエレベータ装置に関する。
【背景技術】
【０００２】
従来、複数号機が設置されているエレベータ装置においては、ホール呼びは特殊な仕様を除きそのホール呼びボタンの操作により応答可能な号機がランダムに割り付けられて効率的な運転を行っていた（特許文献１）。
【特許文献１】特開平９−２０２５４５号公報
【発明の開示】
【発明が解決しようとする課題】
【０００３】
しかしながら、従来の、指定された号機を呼ぶ為の専用のホール呼びボタンを持たない複数号機設置のエレベータ装置では、ホール呼びボタンの呼びで指定した号機に乗り込むことができない為、建物によっては、上方段違い、下方段違い、サービス階切離しなどで設置号機によってサービス階が異なる場合に、利用者が自分の行きたい階に停止する号機に自由に乗り込むことができず、使い勝手に不便を生じる場合が出てくる。
【０００４】
本発明は、従来のこのような点に鑑みて為されたもので、指定された号機を呼ぶ為の専用のホール呼びボタンを持たず、複数号機が設置されている場合においても、利用者が自分の行きたい階に停止する号機を呼ぶことが可能なエレベータ装置を提供することを目的とする。
【課題を解決するための手段】
【０００５】
上記目的を達成するために、本発明に係るエレベータ装置は、複数号機が設置されたエレベータ装置において、ホール呼びボタンの特殊操作により指定された号機を割り付ける指定号機割り付け手段を備えたことを特徴とする。
【発明の効果】
【０００６】
本発明によれば、指定された号機を呼ぶ為の専用のホール呼びボタンを持たず、複数号機が設置されている場合においても、利用者が自分の行きたい階に停止する号機を呼ぶことができる。
【発明を実施するための最良の形態】
【０００７】
以下、図面を参照して本発明の実施形態について詳細に説明する。なお、以下の図において、同符号は同一部分または対応部分を示す。
【０００８】
図１は、本発明の一実施形態としての２カーのエレベータ装置におけるカゴ呼び及びホール呼びの登録可否状態を示す図である。すなわち、同図（ａ）は、階毎の、各号機のカゴ呼びボタン、及びホール呼びボタンの状態を表示し、同図（ｂ）は、同図（ａ）で示されたカゴ呼びボタン及びホール呼びボタンの表示が、登録可能なものであるか、登録不可能なものであるかの区別を示すものである。
【０００９】
図１において、１−１ａはホール呼びボタン（ＵＰ）、１−１ｂはホール呼びボタン（ＤＮ）、１−２はカゴ呼びボタン、１−３は登録可能ボタン、１−４は登録不可能ボタンを示す。
【００１０】
図１に示すように、Ｂ号機の５Ｆカゴ呼びは登録不可能、すなわちＢ号機は５階不停止となっている。ここで仮に４階でホール呼びボタン（ＵＰ）１−１ａを押してエレベータに乗り込む場合、一般的な２カーのエレベータ装置であればＡ、Ｂ号機のどちらかが割り付けられ、Ｂ号機に乗り込んでしまった乗客は５階には行けないことになってしまう。
【００１１】
そこで、本実施形態においては、５階に行きたい乗客はホール呼びボタン（ＵＰ）１−１ａを長押しすることによってＡ号機を強制的に応答させることで５階に行くことができるようにしている。
【００１２】
図２においては、上記操作に対するホール呼び登録装置の動作をフローチャートにて示している。すなわち、エレベータ制御装置に設けられたホール呼び登録装置においては、常時ホール呼びボタンが押されたか否かを監視しており（ステップＳ１）、ホール呼びボタンが押されたことを検出した場合は、一般的な操作である１ショットか、特殊操作である長押しであるかを判断する（ステップＳ２）。
【００１３】
そして、１ショットの場合は、通常の割り付けにてエレベータ応答する（ステップＳ３）。一方、長押しの場合は、指定された号機（Ａ号機）が応答する（ステップＳ４）。このようにして、５階に行きたい乗客はホール呼びボタン（ＵＰ）１−１ａを長押しすることによってＡ号機を強制的に応答させることで５階に行くことができる。
【００１４】
今回、ホール呼びボタンの特殊操作の操作方法は長押しで記載しているが、そのほかに２回押し（ダブルクリック）、３回押し（トリプルクリック）等、通常一般的でない操作方法であれば良い。
【００１５】
このようにして、指定された号機を呼ぶ為の専用のホール呼びボタンを持たない複数号機設置のエレベータ装置においても、ホール呼びボタンの特殊な操作によって利用者が自分の行きたい階に停止する号機を呼ぶことにより意図的にその号機に乗り込むことができる為、より便利なエレベータの運用ができる。また、この方法であれば新たに指定された号機を呼ぶ為の専用のホール呼びボタンを設置する必要は無く、新設時のみならず仕様変更等でエレベータの運用方法が変わったときでも建屋側の工事を省くことができ、低コストにもつながる。
【００１６】
次に、上述のようにして、特殊操作により指定された号機が割り付けられた場合に、指定された号機が割り付けられたことを乗客に報知する手段について、図３を用いて説明する。
【００１７】
図３は、２カーのエレベータ装置に設置されているホールインジケータ押しボタンを示している。ホールインジケータ２−１の近傍に割り付け応答灯２−２を設けて、これを点灯させることにより、ホールから乗り込む乗客にＡ号機が応答することを知らせている。また、割り付け応答灯を設ける方法とは別に、ホールインジケータ２−１そのものを全点灯させる方法や、フリッカーさせる方法、ホール呼びボタンのフリッカーなどの方法も考えられる。このようにホールインジケータやホール呼びボタンを通常とは異なる方法で点灯させることにより、割り付け応答灯を設けずに指定された号機が割り付けられたことを乗客に報知することができ、特に、割り付けられた号機の側のホールインジケータ２−１を全点灯させたり、フリッカーさせたりすることにより、割り付け応答灯２−２を設けずに、割り付けられた号機を明確に示すことが出来る。
【００１８】
次に、特殊操作により指定された号機が割り付けられた場合に、乗客に報知するための他の手段について、図４を用いて説明する。
【００１９】
図４は、図１のエレベータ装置をホール側から見た図である。図３の場合とは違ってホールランタン仕様となっている。ホール呼びボタンを長押し等の特殊操作にてＡ号機を割り付けた場合、Ａ号機のホールランタン３−１をフリッカー、または全点灯させるなど、通常とは異なる方法で点灯させることにより、Ａ号機が割り付けられたことを乗客に知らせる方法もある。また、スピーカー３−２をＡ号機に設けて、オートアナウンス装置により、スピーカー３−２から割り付けられたことを放送しても良い。
【００２０】
また、図５のようなホール呼びボタンの操作方法を明記した案内板を、ホール呼びボタン１−１の近傍に設けると、乗客に、指定された号機を呼ぶための特殊操作の操作方法を明確に伝えることができる。
【００２１】
以上説明したように、本実施形態によれば、２カー、３カー、または群管理のエレベータ装置において、上方段違い、下方段違い、サービス階切離しなどで設置号機によってサービス階が異なる場合のエレベータ装置においても、ホール呼びボタンの特殊操作により利用者が自分の行きたい階に停止する号機に意図的に乗り込むことができる。また、ＶＩＰ運転の仕様で改造したいが指定された号機を呼ぶ為の専用ボタンを追加することが難しいエレベータ装置などにも用いることができる。
【図面の簡単な説明】
【００２２】
【図１】本発明の一実施形態におけるカゴ呼び及びホール呼びの登録可否状態を示す図。
【図２】本発明の一実施形態の動作を示すフローチャート。
【図３】本発明の一実施形態において、指定された号機が割り付けられたことを報知する手段を説明するための、２カー用のホールインジケータ押しボタンの構成を示す図。
【図４】本発明の一実施形態において、指定された号機が割り付けられたことを報知する手段を説明するための、ホールランタンが取り付けられた２カーのエレベータ装置の構成を示す図。
【図５】本発明の一実施形態におけるホール呼びボタンの操作方法を明記した案内板の表示を示す図。
【符号の説明】
【００２３】
１−１…ホール呼びボタン
１−１ａ…ホール呼びボタン（ＵＰ）
１−１ｂ…ホール呼びボタン（ＤＮ）
１−２…カゴ呼びボタン
１−３…登録可能ボタン
１−４…登録不可能ボタン
２−１…ホールインジケータ
２−２…割り付け応答灯
３−１…ホールランタン
３−２…スピーカー
【図１】
2006168915.tif 000003
【図２】
2006168915.tif 000004
【図３】
2006168915.tif 000005
【図４】
2006168915.tif 000006
【図５】
2006168915.tif 000007